(57)【要約】  光ノード装置１は、信号光を出力するポートを複数備えた波長分波部１２００と、波長分波部１２００から出力された信号光を受信するポートを複数備え、受信した信号光を合波する波長合波部１３００，２３００と、波長分波部１２００のポートと波長合波部１３００，２３００のポートが正しく接続されているか否かを判定する接続状態判定部１０と、を備える。波長分波部１２００は、波長合波部側から入力された信号光のうち、特定波長を透過させる波長可変フィルタ１２３２と、波長可変フィルタ１２３２を透過した信号光のレベルを検出する光レベル検出部１２４１と、を備え、波長合波部１３００，２３００は、合波後の信号光のうち、特定波長を反射させる波長可変反射フィルタ１３３２，２３３２を備え、接続状態判定部１０は、光レベル検出部１２４１での検出結果に基づいて、波長分波部のポートと波長合波部のポートが正しく接続されているか否かを判定する。
2016157454.tif 000002
【特許請求の範囲】
【請求項１】
信号光を出力するポートを複数備えた光出力部と、
前記光出力部から出力された信号光を受信するポートを複数備え、各ポートで受信した信号光を合波する波長合波部と、
前記光出力部のポートと前記波長合波部のポートが正しく接続されているか否かを判定する接続状態判定部と、
を備え、
前記光出力部は、
前記波長合波部側から入力された信号光のうち、特定波長の信号光を透過させる波長可変フィルタと、
前記波長可変フィルタを透過した信号光のレベルを検出する光レベル検出部と、
を備え、
前記波長合波部は、
合波後の信号光のうち、特定波長の信号光を前記光出力部側へ反射させる波長可変反射フィルタ、
を備え、
前記接続状態判定部は、
前記光レベル検出部での検出結果に基づいて、前記光出力部のポートと前記波長合波部のポートが正しく接続されているか否かを判定する、
ことを特徴とする光ノード装置。
【請求項２】
前記光出力部は前記波長分割多重された信号光を分波して各波長の信号光を自身が備えている前記ポートへ出力する波長分波部であることを特徴とする請求項１に記載の光ノード装置。
【請求項３】
前記光出力部は前記波長分割多重された信号光を自身が備えている前記ポートの全てに出力する光スプリッタであることを特徴とする請求項１に記載の光ノード装置。
【請求項４】
前記接続状態判定部は、前記波長合波部の各ポートが透過させる波長の設定状態の情報と、前記波長可変反射フィルタが反射させる波長の設定状態の情報と、前記光レベル検出部での検出結果とに基づいて、前記光出力部のポートと前記波長合波部のポートが正しく接続されているか否かを判定する、
ことを特徴とする請求項１、２または３に記載の光ノード装置。
【請求項５】
前記波長合波部の各ポートが透過させる波長の設定を変更する機器設定部、
を備え、
前記機器設定部は、前記光出力部のポートと前記波長合波部のポートが正しく接続されていないと前記接続状態判定部が判断した場合、前記波長合波部の各ポートが透過させる波長の設定を変更し、
前記接続状態判定部は、前記機器設定部により変更された後の前記波長合波部の各ポートの設定状態の情報と、前記波長可変反射フィルタが反射させる波長の設定状態の情報と、前記光レベル検出部での検出結果とに基づいて、前記光出力部のポートが前記波長合波部のどのポートに誤接続されているのかを特定する、
ことを特徴とする請求項４に記載の光ノード装置。
【発明の詳細な説明】
【技術分野】
【０００１】
本発明は、波長分割多重された光信号を波長ごとに任意の方路へ出力する光ノード装置に関する。
【背景技術】
【０００２】
情報通信の大容量化に伴って波長多重光通信（ＷＤＭ：Wavelength  Division  Multiplexing）が用いられる。ＷＤＭシステムは複数波長を多重化するため、波長数に応じた装置内光ファイバ接続が必要となり接続作業が煩雑となる。さらに近年、ＷＤＭシステムは、通信容量のさらなる増大化とともに信頼性の向上、ネットワーク構成の柔軟化への要求が高まっている。これらの要求に対応するため、波長単位での経路切替が可能な波長選択スイッチなどを用いた多方路ＷＤＭシステムが実用化されている。一方、波長選択スイッチとの接続組合せが増大してしまうため、多方路ＷＤＭシステムを構成する光ノード装置においては、装置内における光ファイバの接続が更に煩雑となる。【０００３】
波長選択スイッチは、任意波長の光信号の挿入および分岐を行い、任意のポートへ出力する。従来の波長多重光通信システムでは送信先パッケージと受信先パッケージが対となった２方向にのみ接続が可能であったが、多方路化システムでは複数波長をまとめて出力ポートを任意に選択できるため送信先パッケージと受信先パッケージの組合せが複数可能となる。これにより、柔軟なネットワーク構成が構築できる一方、装置内で光ファイバを誤接続する可能性がある。このための誤接続検出機能の実現がシステム構築時間の短縮を図る上で課題であった。【０００４】
従来のＷＤＭシステムでは、送信パッケージのポートと受信パッケージのポートが機械的に決まっていた。パッケージ間は光パッチコードで結線されており、結線作業時のミスやコネクタ嵌合不良、ファイバ断線が発生する可能性がある。これらの事象を早期に発見するために、接続正常性確認の手法が考案されている。例えば特許文献１に記載された発明では、光パッチケーブルの接続元での送信光レベルと接続先での受信レベルを比較し、一致していれば正常な接続、不一致であれば誤接続と判断している。
【先行技術文献】
【特許文献】
【０００５】
【特許文献１】特開２００７−５７６４２号公報
【発明の概要】
【発明が解決しようとする課題】
【０００６】
従来のＷＤＭシステムでは、波長とポートが一対一で対応しているため、レベルモニタ結果の一致不一致からポート接続ミスを判断可能であった。しかし、多方路ＷＤＭシステムでは波長は任意のポートへ送受信可能であるため、ポート接続ミスを判定できないケースがある。具体的には、あるポートに本来入力すべき波長とは異なる波長が入力されていても、このポートにおけるレベルモニタ結果は、波長によらず同じレベルとなるため、接続ミスとは判定されず、正常接続と判定してしまう。【０００７】
本発明は、上記に鑑みてなされたものであって、ポート間を接続するケーブルの正常接続と異常接続の判別精度を向上させることが可能な光ノード装置を得ることを目的とする。
【課題を解決するための手段】
【０００８】
上述した課題を解決し、目的を達成するために、本願発明は、信号光を出力するポートを複数備えた光出力部と、光出力部から出力された信号光を受信するポートを複数備え、各ポートで受信した信号光を合波する波長合波部と、光出力部のポートと波長合波部のポートが正しく接続されているか否かを判定する接続状態判定部と、を備える。また、光出力部は、波長合波部側から入力された信号光のうち、特定波長の信号光を透過させる波長可変フィルタと、波長可変フィルタを透過した信号光のレベルを検出する光レベル検出部と、を備え、波長合波部は、合波後の信号光のうち、特定波長の信号光を光出力部側へ反射させる波長可変反射フィルタを備える。接続状態判定部は、光レベル検出部での検出結果に基づいて、光出力部のポートと波長合波部のポートが正しく接続されているか否かを判定する。
【発明の効果】
【０００９】
本発明にかかる光ノード装置によれば、ポート間を接続するケーブルの正常接続と異常接続の判別精度を向上させることができる、という効果を奏する。
【図面の簡単な説明】
【００１０】
【図１】実施の形態１の光ノード装置の構成例を示す図
【図２】実施の形態１の接続性確認動作手順の一例を示すフローチャート
【図３】実施の形態１の動作を説明するための図
【図４】実施の形態１の動作を説明するための図
【図５】実施の形態１の動作を説明するための図
【図６】実施の形態２の光ノード装置の構成例を示す図
【図７】実施の形態２の接続性確認動作手順の一例を示すフローチャート
【図８】接続状態判定部および機器設定部を実現するハードウェア構成の一例を示す図
【発明を実施するための形態】
【００１１】
以下に、本発明の実施の形態にかかる光ノード装置を図面に基づいて詳細に説明する。なお、この実施の形態によりこの発明が限定されるものではない。
【００１２】
実施の形態１．
図１は、本発明の実施の形態１にかかる光ノード装置の構成例を示す図である。光ノード装置であるノード（Ｎｏｄｅ）１は、光受信増幅部１１００、波長分波部１２００、波長合波部１３００，２３００、光送信増幅部１４００，２４００、接続状態判定部１０および機器設定部２０を備えている。波長分波部１２００は光出力部である。
【００１３】
光受信増幅部１１００は、波長分割多重された信号光であるＷＤＭ（Wavelength  Division  Multiplexing）信号光を受信し、これを増幅して出力する。波長分波部１２００は、光受信増幅部１１００から出力されたＷＤＭ信号光を波長ごとの信号光に分波して出力する。波長合波部１３００および２３００は、波長分波部１２００から出力された信号光のうち、任意の波長の信号光を受信して合波し、合波後の信号光、すなわち波長分割多重された信号光を出力する。光送信増幅部１４００は、波長合波部１３００から出力された信号光を増幅して出力する。光送信増幅部２４００は、波長合波部２３００から出力された信号光を増幅して出力する。接続状態判定部１０は、波長分波部１２００で分波された各波長の信号光が正しい接続先に出力されているか否かを判定する。機器設定部２０は、ノード１内の各部の設定を変更する。なお、図１においては機器設定部２０と機器設定部２０により設定が変更される各部とを接続する信号線の記載を省略している。
【００１４】
図１に示した光受信増幅部１１００、波長分波部１２００、波長合波部１３００、波長合波部２３００、光送信増幅部１４００および光送信増幅部２４００の接続について詳しく説明する。
【００１５】
光受信増幅部１１００が備えている光コネクタ１１１２と波長分波部１２００が備えている光コネクタ１２１１とは光パッチコード１１で接続されている。波長分波部１２００が備えている光コネクタ１２１２ａと波長合波部１３００が備えているコネクタ１３１１ａとは光パッチコード１２ａにて接続されている。波長合波部１３００が備えている光コネクタ１３１２と光送信増幅部１４００が備えている光コネクタ１４１１とは光パッチコード１３にて接続されている。波長分波部１２００が備えている光コネクタ１２１２ｂと波長合波部２３００が備えている光コネクタ２３１１ｂとは光パッチコード１２ｂにて接続されている。波長合波部２３００が備えている光コネクタ２３１２と光送信増幅部２４００が備えている光コネクタ２４１１とは光パッチコード２３にて接続されている。なお、図１では、波長合波部と光送信増幅部のペアを２組（波長合波部１３００と光送信増幅部１４００の組、波長合波部２３００と光送信増幅部２４００の組）としているが、３組以上としてもよい。また、波長分波部を複数備える構成としてもよい。
【００１６】
光受信増幅部１１００、波長分波部１２００、波長合波部１３００、波長合波部２３００、光送信増幅部１４００および光送信増幅部２４００の動作を説明する。ここでは、各部の接続関係が図１に示した場合の例について説明する。
【００１７】
光受信増幅部１１００について説明する。光受信増幅部１１００は、伝送路からのＷＤＭ信号光を光コネクタ１１１１経由で受信すると、まず、光カプラ１１０１がＷＤＭ信号光をＰＤ（Photodiode）１１２１と光増幅器１１３１へ分岐する。ＰＤ１１２１は光カプラ１１０１から入力されたＷＤＭ信号光を光電変換して光レベル検出部１１４１へ出力し、光レベル検出部１１４１が光レベルを確認する。光レベル検出部１１４１は、ＰＤ１１２１から流れる電流を計測する電流センサで構成されており、光レベルに応じた電流値を計測し、計測値を光レベルの確認結果とする。光レベル検出部１１４１は確認結果である光レベルを接続状態判定部１０へ出力する。光増幅器１１３１は伝送路の損失によりレベル低下したＷＤＭ信号光を増幅補償する。光カプラ１１０２は、光増幅器１１３１から出力されたＷＤＭ信号光をＰＤ１１２２と光コネクタ１１１２へ分岐する。光カプラ１１０２から光コネクタ１１１２へ分岐されたＷＤＭ信号光は光パッチコード１１を介して出力される。ＰＤ１１２２は光カプラ１１０２から入力されたＷＤＭ信号光を光電変換して光レベル検出部１１４２へ出力し、光レベル検出部１１４２が光レベルを確認する。光レベル検出部１１４２は確認結果である光レベルを接続状態判定部１０へ出力する。
【００１８】
波長分波部１２００について説明する。波長分波部１２００は、光受信増幅部１１００から入力されたＷＤＭ信号光を波長ごとの信号光に分波し、各波長の信号光を指定されたポートから出力する。具体的には、波長分波部１２００は、光受信増幅部１１００で増幅されたＷＤＭ信号光を光パッチコード１１経由で受信すると、まず、光カプラ１２０１が受信したＷＤＭ信号光をＰＤ１２２２と波長選択スイッチ１２３１へ分岐する。波長選択スイッチは、ＷＳＳ  ＤＥＭＵＸ（Wavelength  Selective  Switch  Demultiplexer）とも呼ばれる。ＰＤ１２２２は光カプラ１２０１から入力されたＷＤＭ信号光を光電変換して光レベル検出部１２４２へ出力し、光レベル検出部１２４２が光レベルを確認する。光レベル検出部１２４２は確認結果である光レベルを接続状態判定部１０へ出力する。ＷＳＳ  ＤＥＭＵＸ１２３１は、入力されたＷＤＭ信号光を任意のポート（ポート１２１２ａ〜１２１２ｉ）へ任意の波長を選択して出力する。ＷＳＳ  ＤＥＭＵＸ１２３１は、ポートごとに、透過させる波長の設定が可能である。初期状態では、いずれの波長も透過させない設定となっており、全ての信号光をブロックする。なお、図１では、波長分波部１２００のｐｏｒｔ１〜ｐｏｒｔ９がポート１２１２ａ〜１２１２ｉに対応している。また、光カプラ１２０１は、ＷＳＳ  ＤＥＭＵＸ１２３１からＷＤＭ信号光が入力されると、入力されたＷＤＭ信号光を光コネクタ１２１１と波長可変フィルタ１２３２へ分岐する。波長可変フィルタ１２３２は、選択した任意波長の信号光を透過させる光モジュールである。波長可変フィルタ１２３２が透過させる波長の設定は変更可能である。波長可変フィルタ１２３２は、光カプラ１２０１から入力されたＷＤＭ信号光のうち、透過させる波長に設定されている波長の信号光をＰＤ１２２１へ出力する。ＰＤ１２２１は波長可変フィルタ１２３２から入力されたＷＤＭ信号光を光電変換して光レベル検出部１２４１へ出力し、光レベル検出部１２４１が光レベルを確認する。光レベル検出部１２４１は確認結果である光レベルを接続状態判定部１０へ出力する。
【００１９】
波長合波部１３００について説明する。波長分波部１２００で分波され、ポート１２１２ａより出力された波長λ1の信号光は光パッチコード１２ａを介して波長合波部１３００のポート１３１１ａへ入力される。波長合波部１３００では、まず、ＷＳＳ  ＭＵＸ（Wavelength  Selective  Switch  Multiplexer）１３３１がポート１３１１ａ〜１３１１ｉの各々から入力された各波長の信号光を合波して出力する。ＷＳＳ  ＭＵＸ１３３１の各ポートは、透過させる波長の設定が可能である。初期状態では、いずれの波長も透過させない設定となっており、全ての信号光をブロックする。ここでは、波長λ1の信号光がポート１３１１ａから入力されるようにＷＳＳ  ＭＵＸ１３３１が設定されているものとする。ＷＳＳ  ＭＵＸ１３３１から出力された合波後のＷＤＭ信号光は波長可変反射フィルタ１３３２に入力される。波長可変反射フィルタ１３３２は選択した任意波長の信号光を反射させ、選択した波長とは異なる波長の信号光を透過させることが可能な光モジュールである。波長可変反射フィルタ１３３２は、初期状態では、全ての波長を透過させる設定となっている。ここでは初期状態とする。波長可変反射フィルタ１３３２は、ＷＳＳ  ＭＵＸ１３３１から出力された合波後のＷＤＭ信号光の全ての波長を透過させる。光カプラ１３０１は、波長可変反射フィルタ１３３２を透過したＷＤＭ信号光である波長λ1の信号光をＰＤ１３２１と光コネクタ１３１２へ分岐する。ＰＤ１３２１は光カプラ１３０１から入力された波長λ1の信号光を光電変換して光レベル検出部１３４１へ出力し、光レベル検出部１３４１が光レベルを確認する。光レベル検出部１３４１は確認結果である光レベルを接続状態判定部１０へ出力する。なお、図１では、波長合波部１３００のｐｏｒｔ１〜ｐｏｒｔ９がポート１３１１ａ〜１３１１ｉに対応している。波長合波部１３００と同じ構成である波長合波部２３００の動作も同様である。波長合波部２３００の詳細動作については説明を省略する。
【００２０】
光送信増幅部１４００について説明する。光送信増幅部１４００は、波長合波部１３００で合波されたＷＤＭ信号光を光パッチコード１３経由で受信すると、まず、光カプラ１４０１が受信したＷＤＭ信号光をＰＤ１４２１と光増幅器１４３１へ分岐する。ＰＤ１４２１は光カプラ１４０１から入力されたＷＤＭ信号光を光電変換して光レベル検出部１４４１へ出力し、光レベル検出部１４４１が光レベルを確認する。光レベル検出部１４４１は確認結果である光レベルを接続状態判定部１０へ出力する。光増幅器１４３１は伝送路送信前にＷＤＭ信号光を増幅する。光増幅器１４３１で増幅されたＷＤＭ信号光は光カプラ１４０２によりＰＤ１４２２と光コネクタ１４１２へ分岐される。ＰＤ１４２２は光カプラ１４０２から入力されたＷＤＭ信号光を光電変換して光レベル検出部１４４２へ出力し、光レベル検出部１４４２が光レベルを確認する。光レベル検出部１４４２は確認結果である光レベルを接続状態判定部１０へ出力する。光送信増幅部１４００と同じ構成である光送信増幅部２４００の動作も同様である。光送信増幅部２４００の詳細動作については説明を省略する。
【００２１】
接続状態判定部１０の動作について説明する。接続状態判定部１０は、波長分波部１２００が備えている光レベル検出部１２４１で確認された光レベルを閾値と比較し、比較結果に基づいて、波長分波部１２００で分波された各波長の信号光が正しい接続先に出力されているか否か、すなわち、波長分波部１２００のポートと波長合波部１３００または２３００のポートとを接続する光パッチコードが正しく接続されているか否かを判定する。光レベル検出部１２４１で確認された光レベルは、ＷＳＳ  ＤＥＭＵＸ１２３１がポートへ出力した後、途中で反射して戻ってきた信号光のレベルである。ＷＳＳ  ＤＥＭＵＸ１２３１がポートへ出力した後に反射して戻ってくる信号光のレベルは、どこで反射したかにより変化する。そのため、接続状態判定部１０は、光レベル検出部１２４１で確認された光レベルから、反射した位置の違いを判別できる。光パッチコードの接続が間違っている場合、出力した信号光が反射する位置が正しく接続されている場合と異なる、または、反射されないため、接続状態判定部１０は、光レベル検出部１２４１で確認された光レベルに基づいて、光パッチコードの接続が正しいか否かを判定できる。
【００２２】
接続状態判定部１０は、２種類の閾値を保持している。保持している２種類の閾値をＰｔｈ＿ＡおよびＰｔｈ＿Ｂとする。これらの閾値の間には、Ｐｔｈ＿Ａ＜Ｐｔｈ＿Ｂという関係が成り立つ。一つ目の閾値Ｐｔｈ＿Ａは、波長分波部１２００から出力した信号光が波長合波部の波長可変反射フィルタで反射されたか否かを判定するための閾値である。光レベル検出部１２４１で確認された光レベルをＰとした場合、接続状態判定部１０は、Ｐ＞Ｐｔｈ＿Ａの場合に信号光が波長合波部の波長可変反射フィルタで反射されたと判定する。二つ目の閾値Ｐｔｈ＿Ｂは、光パッチコードの未接続、すなわち、光パッチコードがコネクタから外れた状態を検出するための閾値である。図１に示した構成の場合、光パッチコードがコネクタから外れた状態では、ＷＳＳ  ＤＥＭＵＸ１２３１がポート１２１２ａ〜１２１２ｉへ出力した信号光は出力したポートまたは光パッチコードの未接続側の端部で反射する。そのため、ＷＳＳ  ＤＥＭＵＸ１２３１から出力され、出力したポートまたは光パッチコードの未接続側の端部で反射して戻ってきた信号光の光レベルは、波長合波部１３００または２３００まで到達し、波長可変反射フィルタ１３３２または２３３２で反射して戻ってきた光レベルと比較して、大きな値となる。接続状態判定部１０は、光レベル検出部１２４１で確認された光レベルＰが閾値Ｐｔｈ＿Ｂ以上の場合、すなわち、Ｐｔｈ＿Ｂ≦Ｐの場合、光パッチコードがコネクタから外れた状態と判定する。
【００２３】
２種類の閾値の決定方法を説明する。２種類の閾値のうち、信号光が波長可変反射フィルタで反射されたか否か判定するための閾値Ｐｔｈ＿Ａは、例えば、光パッチコードが正しく接続され、波長可変反射フィルタが信号光を反射している状態を作り出し、この状態で光レベル検出部１２４１が検出した光レベルに基づき、この光レベルを示す値よりも小さな値に決定する。また、光パッチコードがコネクタから外れている状態を検出するための閾値Ｐｔｈ＿Ｂは、例えば、光パッチコードが未接続の状態を作り出し、この状態で光レベル検出部１２４１が検出した光レベルに基づき、この光レベルを示す値よりも小さい値に決定する。
【００２４】
機器設定部２０は、波長分波部１２００が備えているＷＳＳ  ＤＥＭＵＸ１２３１および波長可変フィルタ１２３２の設定、波長合波部１３００が備えているＷＳＳ  ＭＵＸ１３３１および波長可変反射フィルタ１３３２の設定、波長合波部２３００が備えているＷＳＳ  ＭＵＸ２３３１および波長可変反射フィルタ２３３２の設定を変更する。すなわち、機器設定部２０は、ＷＳＳ  ＤＥＭＵＸ１２３１について、入力されたＷＤＭ信号光のどの波長をどのポートから出力するかの設定を変更する。機器設定部２０は、ＷＳＳ  ＭＵＸ１３３１について、どのポートがどの波長を透過させるかの設定を変更する。機器設定部２０は、波長可変フィルタ１２３２について、どの波長を透過させるかの設定を変更する。機器設定部２０は、波長可変反射フィルタ１３３２および２３３２について、どの波長を反射させるかの設定を変更する。
【００２５】
機器設定部２０は、光パッチコードの接続が正しいか否かを接続状態判定部１０が判定する際、接続が正しいか否かの判定が可能となるように、波長分波部１２００が備えているＷＳＳ  ＤＥＭＵＸ１２３１および波長可変フィルタ１２３２、波長合波部１３００が備えているＷＳＳ  ＭＵＸ１３３１および波長可変反射フィルタ１３３２、波長合波部２３００が備えているＷＳＳ  ＭＵＸ２３３１および波長可変反射フィルタ２３３２の設定を変更する。例えば、使用する信号光の波長をλ1とし、この波長の信号光を波長分波部１２００のＷＳＳ  ＤＥＭＵＸ１２３１のポート１２１２ａから出力し、波長合波部１３００のＷＳＳ  ＭＵＸ１３３１のポート１３１１ａへ入力させたい場合、すなわち、光パッチコードが波長分波部１２００のＷＳＳ  ＤＥＭＵＸ１２３１のポート１２１２ａと波長合波部１３００のＷＳＳ  ＭＵＸ１３３１のポート１３１１ａとを接続している状態が正しい接続の場合、機器設定部２０は、波長分波部１２００のＷＳＳ  ＤＥＭＵＸ１２３１のポート１２１２ａが波長λ1の信号光を透過させるように設定する。また、機器設定部２０は、波長合波部１３００のＷＳＳ  ＭＵＸ１３３１のポート１３１１ａが波長λ1の信号光を透過させるように設定する。さらに、機器設定部２０は、波長分波部１２００の波長可変フィルタ１２３２が波長λ1の信号光を透過させるように設定するとともに、波長合波部１３００の波長可変反射フィルタ１３３２が波長λ1の信号光を反射するように設定する。この場合、光パッチコードが正しく接続されていれば、波長λ1の信号光は波長分波部１２００のＷＳＳ  ＤＥＭＵＸ１２３１のポート１２１２ａから出力されて波長合波部１３００のＷＳＳ  ＭＵＸ１３３１のポート１３１１ａへ入力される。そして、波長合波部１３００の波長可変反射フィルタ１３３２は、ポート１３１１ａから入力された波長λ1の信号光を反射する。このように、光パッチコードが正しく接続されている場合、波長λ1の信号光は、正しく接続された光パッチコードを介して波長合波部１３００に入力した後に反射する。このケースでは、ＷＳＳ  ＭＵＸ１３３１での光損失が発生する。一方、光パッチコードがコネクタから抜けているケースではＷＳＳ  ＭＵＸ１３３１での光損失が発生しない。そのため、光パッチコードの接続が正しい場合、光パッチコードがコネクタから抜けている場合と比較して、波長分波部１２００の光レベル検出部１２４１で検出される光レベルの方が低くなる。
【００２６】
上述したように、接続状態判定部１０は、光レベル検出部１２４１で確認された光レベルに基づいて、光パッチコードが正しく接続されているか否かを判定する。しかし、図１に示したように、波長分波部１２００のＷＳＳ  ＤＥＭＵＸ１２３１から出力される信号光を受け取る波長合波部は複数存在し、さらに、各波長合波部への入力先となるポートも波長合波部ごとに複数存在する。そのため、詳細については後述するが、機器設定部２０が、波長分波部１２００が備えているＷＳＳ  ＤＥＭＵＸ１２３１および波長可変フィルタ１２３２、波長合波部１３００が備えているＷＳＳ  ＭＵＸ１３３１および波長可変反射フィルタ１３３２、波長合波部２３００が備えているＷＳＳ  ＭＵＸ２３３１および波長可変反射フィルタ２３３２の設定を適宜変更する。一方、接続状態判定部１０は、機器設定部２０により上記各部の設定変更が行われると、光レベル検出部１２４１で確認された光レベルを上記２種類の閾値と比較し、光パッチコードが正しく接続されているか否かを判定する。
【００２７】
接続状態判定部１０および機器設定部２０の動作について、図２を参照しながら詳しく説明する。図２は、接続状態判定部１０が波長分波部１２００で分波された各波長の信号光が正しい接続先に出力されているか否かを判定する、接続性確認動作手順の一例を示すフローチャートである。この接続性確認動作は、波長分波部１２００と波長合波部１３００とを接続する光パッチコード、または、波長分波部１２００と波長合波部２３００とを接続する光パッチコードが新たに追加された場合に実行する。動作の開始条件は、例えば、光パッチコードを接続する作業者が接続性確認動作の開始を指示する操作を行った場合とするが、その他の条件としてもよい。開始条件を複数設けておいてもよい。
【００２８】
接続性確認動作では、まず、機器設定部２０が、サービス波長以外の波長の中から新たに使用する１つの波長を選択する（ステップＳ１）。サービス波長とは、既にユーザに割り当てられ、ユーザに使用されている波長である。よって、ステップＳ１において、機器設定部２０は、未使用の波長の中の１つを選択する。例えば、ノード１が適用される光通信システムに割り当てられている波長がλ1〜λ8であり、かつ波長λ1およびλ2が既に使用されている場合、機器設定部２０は、未使用状態のλ3〜λ8の中から一つの波長λx（x＝３〜８）を選択する。
【００２９】
次に、機器設定部２０が、波長分波部１２００の波長可変フィルタ１２３２の設定を変更し、ステップＳ１で選択した波長λxを透過させるようにする（ステップＳ２）。機器設定部２０は、さらに、波長分波部１２００のＷＳＳ  ＤＥＭＵＸ１２３１の設定を変更し、ステップＳ１で選択した波長λxを特定ポートから出力させるようにする（ステップＳ３）。ここで、特定ポートとは、光パッチコードを新たに接続するポートである。特定ポートの情報は、例えば、光パッチコードを接続する作業者が接続性確認動作の開始を指示する操作を行う際に、作業者から取得する。すなわち、作業者に特定ポートの情報を入力させる。作業者は、例えば、ＰＣ（Personal  Computer）を接続するためのインタフェースをノード１が有している場合、作業者はＰＣを使用して特定ポートの情報を入力する。機器設定部２０に特定ポートの情報を入力させるためのインタフェースを設けてもよい。
【００３０】
なお、これらのステップＳ１〜Ｓ３の処理は、厳密には、接続性確認動作ではない。これらのステップＳ１〜Ｓ３は、光パッチコードを新たに追加するための機器の初期設定に該当する。
【００３１】
次に、接続状態判定部１０が、光レベル検出部１２４１で検出された光レベルＰを上述した閾値Ｐｔｈ＿Ｂと比較することにより、コネクタ抜けが発生しているか否かを判定する（ステップＳ４）。接続状態判定部１０は、光レベルＰが閾値Ｐｔｈ＿Ｂ以上の場合（ステップＳ４：Ｙｅｓ）、コネクタ抜け、すなわち、波長λxの信号光を出力するＷＳＳ  ＤＥＭＵＸ１２３１のポート（ポート１２１２ａ〜１２１２ｉ）、または、この信号光を受信するＷＳＳ  ＭＵＸ（ＷＳＳ  ＭＵＸ１３３１，２３３１）のポート（ポート１３１１ａ〜１３１１ｉ，２３１１ａ〜２３１１ｉ）に光パッチコードが接続されていないと判断する（ステップＳ１３）。コネクタ抜けが発生している場合、上述したように、ＷＳＳ  ＤＥＭＵＸ１２３１から出力された信号光は、ＷＳＳ  ＭＵＸに到達することなく、ＷＳＳ  ＭＵＸＷＳＳ  ＤＥＭＵＸ１２３１のポートまたは光パッチコードの未接続側の端部で反射する。そのため、光レベル検出部１２４１で検出された光レベルＰは、信号光がＷＳＳ  ＭＵＸに到達してから波長可変反射フィルタで反射した場合よりも大きい。
【００３２】
光レベルＰが閾値Ｐｔｈ＿Ｂ未満の場合（ステップＳ４：Ｎｏ）、光パッチコードのコネクタ抜けは発生しておらず、光パッチコードはコネクタに接続されている状態である。しかし、光パッチコードを接続しているコネクタ、すなわちポートが間違っている可能性があるため、接続状態判定部１０および機器設定部２０は、図２に示したステップＳ５〜Ｓ１６を実行し、光パッチコードを接続しているポートが正しいか否かを判定する。
【００３３】
ステップＳ５では、機器設定部２０が、波長λxの信号光を未使用の波長合波部を探索する。図２では、探索対象の波長合波部の数を８としているが、図１に示した構成の場合、探索対象の波長合波部は波長合波部１３００および２３００の２つとなる。なお、機器設定部２０は、ノード１内の各波長合波部のポートの設定、波長可変反射フィルタの設定を行っているため、どの波長合波部がどの波長の信号光を使用しているかの情報を保持している。機器設定部２０は、波長λxの信号光を使用していない波長合波部を発見した場合（ステップＳ５：Ｙｅｓ）、発見した波長合波部（以下、波長合波部＃ｎとする）の波長可変反射フィルタが波長λxの信号光のみを反射するように、この波長可変反射フィルタを設定する（ステップＳ６）。このとき、機器設定部２０は、発見した波長合波部＃ｎの情報を記憶する。次に、機器設定部２０は、波長合波部＃ｎで使用されていないポートを探索する（ステップＳ７）。機器設定部２０は、ノード１内の各波長合波部のポートの設定、波長可変反射フィルタの設定を行っているため、どの波長合波部のどのポートが使用されているかの情報を保持している。機器設定部２０は、波長合波部＃ｎで使用されていないポート（以下ポート＃ｍとする）を発見した場合（ステップＳ７：Ｙｅｓ）、発見したポート＃ｍが波長λxの信号光を透過させるよう、波長合波部＃ｎを設定する（ステップＳ８）。このとき、機器設定部２０は、発見したポート＃ｍの情報を記憶する。
【００３４】
次に、接続状態判定部１０が、光レベル検出部１２４１で確認された光レベルＰが上述した閾値Ｐｔｈ＿Ａよりも大きいか否かを確認する（ステップＳ９）。Ｐ≦Ｐｔｈ＿Ａの場合（ステップＳ９：Ｎｏ）、接続状態判定部１０は、上記のステップＳ７で発見したポート＃ｍには光パッチコードが接続されていないと判断する。この場合、機器設定部２０が、上記ステップＳ７で発見したポート＃ｍの設定を初期化する。すなわち、機器設定部２０は、上記ステップＳ５で発見した波長合波部の設定を変更し、ポート＃ｍが波長λxの信号光を透過させないようにする（ステップＳ１４）。そして、ステップＳ７に戻り、使用されていない他のポートを探索する（ステップＳ７）。以下、上記ステップＳ５で発見した波長合波部＃ｎの全ての未使用ポートについてステップＳ８、Ｓ９およびＳ１４を実行するか、ステップＳ９での判定が「Ｙｅｓ」となるまで、ステップＳ８、Ｓ９およびＳ１４の処理を繰り返し実行する。上記ステップＳ５で発見した波長合波部の全ての未使用ポートについてステップＳ８、Ｓ９およびＳ１４を実行した場合、上記ステップＳ６で設定を変更した波長可変反射フィルタを初期状態、すなわち、全ての波長の信号光を透過させる設定に戻す（ステップＳ１５）。そして、ステップＳ５に戻り、機器設定部２０が、波長λxの信号光を未使用の波長合波部を再度探索する。ノード１が備えている全ての波長合波部について、波長λxの信号光を未使用か否かの確認を実施した場合、ステップＳ５〜Ｓ１５に示した処理のループを終了する。そして、接続状態判定部１０は、波長分波部１２００側、すなわちＷＳＳ  ＤＥＭＵＸ１２３１側の接続異常と判断する（ステップＳ１６）。
【００３５】
また、上記ステップＳ９においてＰｔｈ＿Ａ＜Ｐと判断した場合（ステップＳ９：Ｙｅｓ）、接続状態判定部１０は、上記ステップＳ５で発見された波長合波部＃ｎおよび上記ステップＳ７で発見されたポート＃ｍが、新たに追加された光パッチコードの接続先の波長合波部およびポートと一致しているか否かを確認する（ステップＳ１０）。機器設定部２０は、ノード１内の波長分波部のポート設定、各波長合波部のポートの設定を行っているため、新たに追加された光パッチコードの接続先の波長合波部およびポートの情報を保持している。そのため、接続状態判定部１０は、機器設定部２０で保持されている、新たに追加された光パッチコードの接続先の波長合波部およびポートの情報と、上記ステップＳ５で発見された波長合波部および上記ステップＳ７で発見されたポート＃ｍとを比較する。接続状態判定部１０は、上記ステップＳ５で発見された波長合波部および上記ステップＳ７で発見されたポート＃ｍが、新たに追加された光パッチコードの接続先の波長合波部およびポートと一致している場合（ステップＳ１０：Ｙｅｓ）、新たに追加された光パッチコードの接続先が正しいと判断する（ステップＳ１１）。例えば、波長分波部１２００のポート１２１２ｂと波長合波部２３００のポート２３１１ａとを光パッチコードで新たに接続する場合、接続状態判定部１０は、上記ステップＳ５で波長合波部２３００が発見され、かつ上記ステップＳ７でポート２３１１ａが発見された場合、上記ステップＳ１０において正常接続と判断する。接続状態判定部１０は、上記ステップＳ５で発見された波長合波部および上記ステップＳ７で発見されたポート＃ｍが、新たに追加された光パッチコードの接続先の波長合波部およびポートと一致していない場合（ステップＳ１０：Ｎｏ）、新たに追加された光パッチコードの接続先が間違っていると判定する（ステップＳ１２）。
【００３６】
接続状態判定部１０および機器設定部２０が以上のように動作することにより、光パッチコードが正しく接続されているか否かを知ることができる。接続状態判定部１０は、光パッチコードが正しく接続されているか否かの判定結果、すなわち、上記ステップＳ１１，Ｓ１２，Ｓ１３，Ｓ１６で示した判定結果を、光パッチコードを接続する作業者に通知する。例えば、ＰＣを接続するためのインタフェースをノード１が有している場合には、判定結果をノード１に接続されたＰＣへ出力して作業者に通知する。
【００３７】
つづいて、ノード１において光パッチコードの接続正常性を確認する動作の具体例を説明する。ここでは、（１）光パッチコードが正しく接続されている場合、（２）光パッチコードがコネクタから抜けている場合、（３）光パッチコードの接続先ポートが間違っている場合、（４）光パッチコードの接続先波長合波部が間違っている場合、に分けて説明する。
【００３８】
（１）光パッチコードが正しく接続されている場合の動作
光パッチコードが正しく接続されている場合の動作を説明する。ここでは、光パッチコードが波長分波部１２００のｐｏｒｔ２（ポート１２１２ｂ）と波長合波部２３００のｐｏｒｔ２（ポート２３１１ｂ）に接続されている状態を正しい接続状態とする。
【００３９】
機器設定部２０は、波長分波部１２００の波長可変フィルタ１２３２の波長透過設定を波長λ2とする。すなわち、機器設定部２０は、波長λ2の信号光を透過させるよう、波長可変フィルタ１２３２を設定する。また、機器設定部２０は、波長λ2の信号光をｐｏｒｔ２（ポート１２１２ｂ）へ透過するよう、ＷＳＳ  ＤＥＭＵＸ１２３１を設定する。光パッチコード１２ｂが正しく接続された場合、光パッチコード１２ｂを介して波長合波部２３００のｐｏｒｔ２（ポート２３１１ｂ）へ波長λ2の信号光が入力される。機器設定部２０は、ポート２３１１ｂが波長λ2の信号光を透過するよう、ＷＳＳ  ＭＵＸ２３３１を設定する。また、機器設定部２０は、波長λ2の信号光を反射するよう、波長可変反射フィルタ２３３２を設定する。これにより、波長分波部１２００のポート１２１２ｂから出力され、光パッチコード１２ｂを介して波長合波部２３００のポート２３１１ｂへ入力した波長λ2の信号光は波長可変反射フィルタ２３３２で反射され、ＷＳＳ  ＭＵＸ２３３１、光パッチコード１２ｂ、ＷＳＳ  ＤＥＭＵＸ１２３１の順番に戻っていく。光カプラ１２０１は、波長可変反射フィルタ２３３２で反射された波長λ2の信号光を波長可変フィルタ１２３２と光コネクタ１２１１へ分岐する。波長可変フィルタ１２３２は波長λ2の信号光を透過し、ＰＤ１２２１は波長λ2の信号光の光パワーを光電変換して光レベル検出部１２４１へ出力する。光レベル検出部１２４１は、波長λ2の信号光のレベルをＰ＿１［ｄＢｍ］として認識し、このレベルＰ＿１を接続状態判定部１０へ出力する。
【００４０】
接続状態判定部１０は、光レベル検出部１２４１から受け取ったレベルＰ＿１を上述した２種類の閾値Ｐｔｈ＿ＡおよびＰｔｈ＿Ｂと比較し、比較結果に基づいて、光パッチコードが正しく接続されているか否かを判定する。このケースでは、光パッチコードが正しく接続されている場合を想定しているため、Ｐｔｈ＿Ａ＜Ｐ＿１＜Ｐｔｈ＿Ｂとなり、接続状態判定部１０は、光パッチコード１２ｂが正しく接続されていると判定する。
【００４１】
（２）光パッチコードがコネクタから抜けている場合（例えば図３に示した状態）の動作
光パッチコードがコネクタから抜けている場合の動作を説明する。ここでは、光パッチコードが波長分波部１２００のｐｏｒｔ２（ポート１２１２ｂ）と波長合波部２３００のｐｏｒｔ２（ポート２３１１ｂ）に接続されている状態が正しい接続状態であるのに対して、光パッチコード１２ｂが波長分波部１２００のポート１２１２ｂまたは波長合波部２３００のポート２３１１ｂから抜けている状態とする。
【００４２】
機器設定部２０は、波長分波部１２００の波長可変フィルタ１２３２の波長透過設定を波長λ2とする。すなわち、機器設定部２０は、波長λ2の信号光を透過させるよう、波長可変フィルタ１２３２を設定する。また、機器設定部２０は、波長λ2の信号光をｐｏｒｔ２（ポート１２１２ｂ）へ透過するよう、ＷＳＳ  ＤＥＭＵＸ１２３１を設定する。光パッチコード１２ｂの片端の接続が外れている場合、波長分波部１２００のポート１２１２ｂから出力された波長λ2の信号光は、波長合波部２３００のポート２３１１ｂへは入力されず、ＷＳＳ  ＤＥＭＵＸ１２３１へ反射される。波長合波部２３００のポート２３１１ｂへ入力されずにＷＳＳ  ＤＥＭＵＸ１２３１へ反射された波長λ2の信号光は、光カプラ１２０１により、波長可変フィルタ１２３２と光コネクタ１２１１へ分岐される。波長可変フィルタ１２３２は波長λ2の信号光を透過し、ＰＤ１２２１は波長λ2の信号光の光パワーを光電変換して光レベル検出部１２４１へ出力する。光レベル検出部１２４１は、波長λ2の信号光のレベルをＰ＿２［ｄＢｍ］として認識し、このレベルＰ＿２を接続状態判定部１０へ出力する。なお、このケースでは、信号光がコネクタ端で反射しており、波長合波部２３００での損失を受けないことからＰ＿２＞Ｐ＿１となる。
【００４３】
接続状態判定部１０は、光レベル検出部１２４１から受け取ったレベルＰ＿２を上述した２種類の閾値Ｐｔｈ＿ＡおよびＰｔｈ＿Ｂと比較し、比較結果に基づいて、光パッチコードが正しく接続されているか否かを判定する。このケースでは、光パッチコードがコネクタから外れている場合を想定しているため、Ｐｔｈ＿Ｂ＜Ｐ＿２となり、接続状態判定部１０は、光パッチコード１２ｂが正しく接続されておらず、かつコネクタが外れていると判定する。
【００４４】
（３）光パッチコードの接続先ポートが間違っている場合（例えば図４に示した状態）の動作
光パッチコードの接続先ポートが間違っている場合の動作を説明する。ここでは、光パッチコードが波長分波部１２００のｐｏｒｔ２（ポート１２１２ｂ）と波長合波部２３００のｐｏｒｔ２（ポート２３１１ｂ）に接続されている状態が正しい接続状態であるのに対して、光パッチコード１２ｂが波長合波部２３００のｐｏｒｔ３（ポート２３１１ｃ）に誤って接続されている状態とする。
【００４５】
機器設定部２０は、波長分波部１２００の波長可変フィルタ１２３２の波長透過設定を波長λ2とする。すなわち、機器設定部２０は、波長λ2の信号光を透過させるよう、波長可変フィルタ１２３２を設定する。また、機器設定部２０は、波長λ2の信号光をｐｏｒｔ２（ポート１２１２ｂ）へ透過するよう、ＷＳＳ  ＤＥＭＵＸ１２３１を設定する。光パッチコード１２ｂが波長合波部２３００のポート２３１１ｃに誤って接続されている場合、波長λ2の信号光は波長合波部２３００のポート２３１１ｂへ入力されない。そのため、機器設定部２０が、ポート２３１１ｂが波長λ2の信号光を透過するように、ＷＳＳ  ＭＵＸ２３３１を設定し、かつ、波長λ2の信号光を反射するように、波長可変反射フィルタ２３３２を設定しても、波長λ2の信号光は波長可変反射フィルタ２３３２で反射されない。すなわち、光パッチコードが誤って接続されているポート２３１１ｃは波長λ2の信号光を透過させる設定とされていないため、波長λ2の信号光は波長可変反射フィルタ２３３２へ出力されない。よって、ＷＳＳ  ＭＵＸ２３３１、光パッチコード１２ｂ、ＷＳＳ  ＤＥＭＵＸ１２３１の順番に戻っていく波長λ2の信号光は存在しない。このケースにおいて、光レベル検出部１２４１は、波長λ2の信号光のレベルをＰ＿３［ｄＢｍ］として認識し、レベルＰ＿３を接続状態判定部１０へ出力する。
【００４６】
接続状態判定部１０は、光レベル検出部１２４１から受け取ったレベルＰ＿３を上述した２種類の閾値Ｐｔｈ＿ＡおよびＰｔｈ＿Ｂと比較し、比較結果に基づいて、光パッチコードが正しく接続されているか否かを判定する。このケースでは、光パッチコードの接続先が間違っている場合を想定しているため、Ｐ＿３≦Ｐｔｈ＿Ａとなり、接続状態判定部１０は、光パッチコード１２ｂの接続先が間違っていると判定する。
【００４７】
つづいて、光パッチコードが本来接続すべきポートとは異なるポートに誤接続されている場合の、誤接続箇所特定動作について説明する。ここでは、光パッチコードが波長分波部１２００のｐｏｒｔ２（ポート１２１２ｂ）と波長合波部２３００のｐｏｒｔ２（ポート２３１１ｂ）に接続されている状態が正しい接続状態であるのに対して、光パッチコード１２ｂが波長合波部２３００のｐｏｒｔ３（ポート２３１１ｃ）に誤って接続されている場合の動作を説明する。
【００４８】
接続状態判定部１０が光パッチコードの接続先が波長合波部２３００のポート２３１１ｂではないと判断した場合、機器設定部２０は、波長合波部２３００のポート２３１１ｂの設定を初期化し、ポート２３１１ｂが波長λ2を透過させないようにする。また、機器設定部２０は、波長可変反射フィルタ２３３２の状態も初期状態に戻す。次に、機器設定部２０は、ポート２３１１ｃが波長λ2の信号光を透過させるよう、波長合波部２３００のＷＳＳ  ＭＵＸ２３３１の設定を変更するとともに、波長λ2の信号光を反射するよう、波長可変反射フィルタ２３３２を設定する。これにより、波長λ2の信号光は波長可変反射フィルタ２３３２において反射され、ＷＳＳ  ＭＵＸ２３３１、光パッチコード１２ｂ、ＳＳ  ＤＥＭＵＸ１２３１の順番に戻っていく。光カプラ１２０１は、波長可変反射フィルタ２３３２で反射された波長λ2の信号光を波長可変フィルタ１２３２と光コネクタ１２１１へ分岐する。波長可変フィルタ１２３２は波長λ2の信号光を透過し、ＰＤ１２２１は波長λ2の信号光の光パワーを光電変換して光レベル検出部１２４１へ出力する。光レベル検出部１２４１は、波長λ2の信号光のレベルをＰ＿１［ｄＢｍ］として認識し、このレベルＰ＿１を接続状態判定部１０へ出力する。
【００４９】
接続状態判定部１０は、光レベル検出部１２４１から受け取ったレベルＰ＿１を上述した２種類の閾値Ｐｔｈ＿ＡおよびＰｔｈ＿Ｂと比較し、Ｐｔｈ＿Ａ＜Ｐ＿１＜Ｐｔｈ＿Ｂであると判定する。本来光パッチコードが接続されていないはずのポート２３１１ｃから波長λ2の信号光が戻ってきているため、接続状態判定部１０は、光パッチコードがポート２３１１ｃに誤接続されていると判定する。
【００５０】
（４）光パッチコードの接続先波長合波部が間違っている場合（例えば図５に示した状態）の動作
光パッチコードの接続先合波部が間違っている場合の動作を説明する。ここでは、光パッチコードが波長分波部１２００のｐｏｒｔ２（ポート１２１２ｂ）と波長合波部２３００のｐｏｒｔ２（ポート２３１１ｂ）に接続されている状態が正しい接続状態であるのに対して、光パッチコード１２ｂが波長合波部３３００のｐｏｒｔ１（ポート３３１１ａ）に誤って接続されている状態とする。
【００５１】
機器設定部２０は、波長分波部１２００の波長可変フィルタ１２３２の波長透過設定を波長λ2とする。すなわち、機器設定部２０は、波長λ2の信号光を透過させるよう、波長可変フィルタ１２３２を設定する。また、機器設定部２０は、波長λ2の信号光をｐｏｒｔ２（ポート１２１２ｂ）へ透過するよう、ＷＳＳ  ＤＥＭＵＸ１２３１を設定する。光パッチコード１２ｂが波長合波部３３００のポート３３１１ａに誤って接続されている場合、波長λ2の信号光は波長合波部２３００のポート２３１１ｂへ入力されない。そのため、機器設定部２０が、ポート２３１１ｂが波長λ2の信号光を透過するように、ＷＳＳ  ＭＵＸ２３３１を設定し、かつ、波長λ2の信号光を反射するように、波長可変反射フィルタ２３３２を設定しても、波長λ2の信号光は波長可変反射フィルタ２３３２で反射されない。よって、ＷＳＳ  ＭＵＸ２３３１、光パッチコード１２ｂ、ＷＳＳ  ＤＥＭＵＸ１２３１の順番に戻っていく波長λ2の信号光は存在しない。このケースにおいて、光レベル検出部１２４１は、波長λ2の信号光のレベルをＰ＿４［ｄＢｍ］として認識し、レベルＰ＿４を接続状態判定部１０へ出力する。
【００５２】
接続状態判定部１０は、光レベル検出部１２４１から受け取ったレベルＰ＿４を上述した２種類の閾値Ｐｔｈ＿ＡおよびＰｔｈ＿Ｂと比較し、比較結果に基づいて、光パッチコードが正しく接続されているか否かを判定する。このケースでは、光パッチコードの接続先が間違っている場合を想定しているため、Ｐ＿４≦Ｐｔｈ＿Ａとなり、接続状態判定部１０は、光パッチコード１２ｂの接続先が間違っていると判定する。
【００５３】
つづいて、光パッチコードが本来接続すべき波長合波部とは異なる波長合波部、すなわち、間違った方路へ接続されている場合の、誤接続箇所特定動作について説明する。ここでは、光パッチコードが波長分波部１２００のｐｏｒｔ２（ポート１２１２ｂ）と波長合波部２３００のｐｏｒｔ２（ポート２３１１ｂ）に接続されている状態が正しい接続状態であるのに対して、光パッチコード１２ｂが波長合波部３３００のｐｏｒｔ１（ポート３３１１ａ）に誤って接続されている場合の動作を説明する。
【００５４】
接続状態判定部１０が光パッチコードの接続先が波長合波部２３００のポート２３１１ｂではないと判断した場合、機器設定部２０は、波長合波部２３００のポート２３１１ｂの設定を初期化し、ポート２３１１ｂが波長λ2を透過させないようにする。また、機器設定部２０は、波長可変反射フィルタ２３３２の状態も初期状態に戻す。次に、機器設定部２０は、ポート２３１１ｃが波長λ2の信号光を透過させるよう、波長合波部２３００のＷＳＳ  ＭＵＸ２３３１の設定を変更するとともに、波長λ2の信号光を反射するよう、波長可変反射フィルタ２３３２を設定する。
【００５５】
光パッチコード１２ｂが波長合波部３３００のポート３３１１ａに誤って接続されている場合、波長λ2の信号光は波長合波部２３００のポート２３１１ｃへ入力されない。そのため、機器設定部２０が、ポート２３１１ｃが波長λ2の信号光を透過するように、ＷＳＳ  ＭＵＸ２３３１を設定し、かつ、波長λ2の信号光を反射するように、波長可変反射フィルタ２３３２を設定しても、波長λ2の信号光は波長可変反射フィルタ２３３２で反射されない。よって、ＷＳＳ  ＭＵＸ２３３１、光パッチコード１２ｂ、ＷＳＳ  ＤＥＭＵＸ１２３１の順番に戻っていく波長λ2の信号光は存在しない。このケースにおいて、光レベル検出部１２４１は、波長λ2の信号光のレベルをＰ＿５［ｄＢｍ］として認識し、レベルＰ＿５を接続状態判定部１０へ出力する。
【００５６】
接続状態判定部１０は、光レベル検出部１２４１から受け取ったレベルＰ＿５を上述した２種類の閾値Ｐｔｈ＿ＡおよびＰｔｈ＿Ｂと比較し、比較結果に基づいて、光パッチコードが正しく接続されているか否かを判定する。このケースでは、光パッチコードの接続先が間違っている場合を想定しているため、Ｐ＿５≦Ｐｔｈ＿Ａとなり、接続状態判定部１０は、光パッチコード１２ｂの接続先が間違っていると判定する。
【００５７】
この場合、機器設定部２０は、上記と同様の手順で波長合波部２３００の設定を変更する。具体的には、波長λ2の信号光を透過させるポートがポート２３１１ｄとなるよう、波長合波部２３００のＷＳＳ  ＭＵＸ２３３１の設定を変更する。また、接続状態判定部１０は、光レベル検出部１２４１から受け取ったレベルを上述した２種類の閾値Ｐｔｈ＿ＡおよびＰｔｈ＿Ｂと比較し、光パッチコードが正しく接続されているか否かを判定する。以下同様にして、機器設定部２０および接続状態判定部１０は、波長合波部２３００のポート２３１１ｅ〜２３１１ｉの中に光パッチコードが誤接続されているポートが存在しないか確認する。波長合波部２３００のポートの中に光パッチコードが誤接続されているポートが存在しない場合、接続状態判定部１０は、光パッチコードの誤接続先が波長合波部２３００とは異なる波長合波部であると判断する。この場合、接続状態判定部１０および機器設定部２０は、波長合波部２３００以外の波長合波部を対象として、同様の処理を行う。例えば、接続状態判定部１０および機器設定部２０は、波長合波部３３００を対象として同様の処理を行う。以下、接続状態判定部１０および機器設定部２０が波長合波部３３００を対象として同様の処理を行う場合を説明する。
【００５８】
機器設定部２０は、波長合波部３３００のＷＳＳ  ＭＵＸ３３３１に対し、ポート３３１１ａが波長λ2の信号光を透過させるように設定するとともに、波長λ2の信号光を反射するよう、波長可変反射フィルタ３３３２を設定する。これにより、波長λ2の信号光は波長可変反射フィルタ３３３２において反射され、ＷＳＳ  ＭＵＸ３３３１、光パッチコード１２ｂ、ＷＳＳ  ＤＥＭＵＸ１２３１の順番に戻っていく。光カプラ１２０１は、波長可変反射フィル３２３３２で反射された波長λ2の信号光を波長可変フィルタ１２３２と光コネクタ１２１１へ分岐する。波長可変フィルタ１２３２は波長λ2の信号光を透過し、ＰＤ１２２１は波長λ2の信号光の光パワーを光電変換して光レベル検出部１２４１へ出力する。光レベル検出部１２４１は、波長λ2の信号光のレベルをＰ＿１１［ｄＢｍ］として認識し、このレベルＰ＿１１を接続状態判定部１０へ出力する。
【００５９】
接続状態判定部１０は、光レベル検出部１２４１から受け取ったレベルＰ＿１１を上述した２種類の閾値Ｐｔｈ＿ＡおよびＰｔｈ＿Ｂと比較し、Ｐｔｈ＿Ａ＜Ｐ＿１１＜Ｐｔｈ＿Ｂであると判定する。本来光パッチコードが接続されていないはずの波長合波部３３００のＷＳＳ  ＭＵＸ３３３１のポート３３１１ａから波長λ2の信号光が戻ってきているため、接続状態判定部１０は、光パッチコードが波長合波部３３００のＷＳＳ  ＭＵＸ３３３１のポート３３１１ａに誤接続されていると判定する。
【００６０】
以上のように、本実施の形態の光ノード装置において、波長分波部１２００は、波長合波部１３００，２３００，３３００へ出力した後に反射して戻ってきた信号光のレベルを検出する光レベル検出部１２４１を備え、波長合波部１３００，２３００，３３００は、設定された波長の信号光を反射する波長可変反射フィルタを備える。接続状態判定部１０は、光レベル検出部１２４１で検出した光レベルに基づいて、波長分波部１２００と波長合波部１３００，２３００，３３００とを接続する光パッチコードの接続が正しいか否かを判定する。これにより、光パッチコードの正常接続と異常接続の判別を高精度に行うことができる。また、波長合波部１３００，２３００，３３００が波長可変反射フィルタを備え、波長分割多重された信号光の中の特定の波長を反射させてモニタするようにしたので、装置を小型化することができる。
【００６１】
実施の形態２．
図６は、実施の形態２の光ノード装置の構成例を示す図である。実施の形態２のノード装置であるノード１ａは、図１に示した実施の形態１のノード１の波長分波部１２００を波長分波部１２００ａに置き換えたものである。波長分波部１２００ａは、実施の形態１で説明した波長分波部１２００のＷＳＳ  ＤＥＭＵＸ１２３１を光スプリッタ１２５１に置き換えたものである。光スプリッタ１２５１は光出力部である。ノード１ａの光スプリッタ１２５１以外の構成は実施の形態１と同様であるため、説明を省略する。
【００６２】
光スプリッタ１２５１は光受信増幅部１１００から入力されたＷＤＭ信号光をポート１２１２ａ〜１２１２ｉへ分配する。
【００６３】
図７は、接続状態判定部１０が波長分波部１２００ａで分波された各波長の信号光が正しい接続先に出力されているか否かを判定する、接続性確認動作手順の一例を示すフローチャートである。図７に示したフローチャートは図２に示したフローチャートに含まれていたステップＳ３を削除したものである。なお、削除したステップＳ３は、波長分波部１２００が備えているＷＳＳ  ＤＥＭＵＸ１２３１の設定を行うステップであり、ＷＳＳ  ＤＥＭＵＸ１２３１を光スプリッタ１２５１に置き換えた構成のノード１ａでは不要である。
【００６４】
本実施の形態の光ノード装置の動作と実施の形態１の光ノード装置の動作の違いは、上記のステップＳ３を実行するか否かである。ただし、ＷＳＳ  ＤＥＭＵＸ１２３１と光スプリッタ１２５１では挿入損失が異なること、光スプリッタ１２５１の未接続ポートは光が全反射することから、ノード１の接続状態判定部１０が保持している閾値とノード１ａの接続状態判定部１０が保持している閾値とは異なる。各閾値は、光スプリッタ１２５１の挿入損失などを考慮して決定する。
【００６５】
このように、光スプリッタで波長分波部を実現した場合にも、実施の形態と同様の構成および手順により、光パッチコードの正常接続と異常接続の判別を行うことができる。
【００６６】
なお、実施の形態１，２では、接続状態判定部１０と機器設定部２０を別構成としたが、１つの構成にまとめてもよい。また、３つ以上の構成に分けてもよい。
【００６７】
図８は、接続状態判定部１０および機器設定部２０を実現するハードウェア構成の一例を示す図である。接続状態判定部１０および機器設定部２０は、ＣＰＵ（Central  Processing  Unit）、システムＬＳＩ（Large  Scale  Integration）などのプロセッサ１０１と、ＲＡＭ（Random  Access  Memory）、ＲＯＭ（Read  Only  Memory）などで構成されるメモリ１０２と、により実現することが可能である。接続状態判定部１０および機器設定部２０は、それぞれに対応するプログラムをプロセッサ１０１が実行することにより実現される。
【００６８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６９】
１，１ａ  ノード、１０  接続状態判定部、１１，１２ａ，１２ｂ，１３，２３，３３  光パッチコード、２０  機器設定部、１００  バス、１０１  プロセッサ、１０２  メモリ、１１００  光受信増幅部、１２００，１２００ａ  波長分波部、１３００，２３００，３３００  波長合波部、１４００，２４００，３４００  光送信増幅部、１１０１，１１０２，１２０１，１３０１，１４０１，１４０２，２３０１，２４０１，２４０２，３３３１，３４０１，３４０２  光カプラ、１１１１，１１１２，１２１１，１３１２，１４１１，１４１２，２３１２，２４１１，２４１２  光コネクタ、１１２１，１１２２，１２２１，１２２２，１３２１，１４２１，１４２２，２３２１，２４２１，２４２２，３３２１，３４２１，３４２２  ＰＤ（Photodiode）、１１３１，１４３１，２４３１，３４３１  光増幅器、１１４１，１１４２，１２４１，１２４２，１３４１，１４４１，１４４２，２３４１，２４４１，２４４２，３３４１，３４４１，３４４２  光レベル検出部、１２３１  ＷＳＳ  ＤＥＭＵＸ（波長選択スイッチ）、１３３１，２３３１，３３３１  ＷＳＳ  ＭＵＸ、１２５１  光スプリッタ、１２３２  波長可変フィルタ、１３３２，２３３２，３３３２  波長可変反射フィルタ、１２１２ａ〜１２１２ｉ，１３１１ａ〜１３１１ｉ，２３１１ａ〜２３１１ｉ，３３１１ａ〜３３１１ｉ  ポート。
【図１】
2016157454.tif 000003
【図２】
2016157454.tif 000004
【図３】
2016157454.tif 000005
【図４】
2016157454.tif 000006
【図５】
2016157454.tif 000007
【図６】
2016157454.tif 000008
【図７】
2016157454.tif 000009
【図８】
2016157454.tif 000010
【国際調査報告】
2016157454.tif 000011
2016157454.tif 000012
2016157454.tif 000013